(57)【要約】【課題】主に容器の内部に冷媒が循環する密閉型や半密閉型の電動圧縮機の電動機保護に使用される保護装置において、部品点数を増やすことなく仕様変更に対応することにある。【解決手段】電動圧縮機用保護装置１の接続端子４及び５はケース３に設けられた端子接続部３Ｂと端子収納部３Ｃとの間を跨いで装着固定されており、接続端子の装着部４Ａ、５Ａは二箇所の端子収納部３Ｃに収納されている。接続端子の溶接部４Ｂ、５Ｂにはモータプロテクタ２の導電端子ピン２Ｂが接続固定される。前記二箇所の端子収納部３Ｃは互いに収納される接続端子の先端形状を入れ替えても装着可能にされている。そのため保護対象機器への取付位置などの関係から端子の入れ替えが必要となった場合にも、ケースはそのまま使用することができ新たにケースを設計しなおす必要がない。【選択図】        図１
2005291154.tif 000002
【特許請求の範囲】
【請求項１】
金属製の密閉容器内に接点機構を有するモータプロテクタとこのモータプロテクタを保持する電気絶縁性のケースを有し、
前記ケースには接続端子が装着され、
この接続端子にモータプロテクタの端子を接続固定することによりモータプロテクタがケースに対して所定の姿勢で保持固定される電動圧縮機用保護装置において、
前記ケースはモータプロテクタ収納部と端子接続部、さらに２箇所の端子収納部を有しており、
端子接続部はモータプロテクタ収納部に対して隣接し、
さらに端子収納部は前記端子接続部と隔壁を挟んで隣接しており、
前記接続端子は端子接続部と端子収納部との間を跨いで装着固定されており、
端子収納部には接続端子の先端部が収納され、
端子接続部でモータプロテクタの導電端子が接続端子と接続固定され、
前記２箇所の端子収納部は少なくとも互いに収納される接続端子先端を入れ替え可能にされていることを特徴とする電動圧縮機用保護装置。
【請求項２】
２箇所の端子収納部は実質的に同一形状であることを特徴とする請求項１に記載の電動圧縮機用保護装置。
【請求項３】
２箇所の端子収納部はケースに対して実質的に左右対称に配置されていることを特徴とする請求項２に記載の電動圧縮機用保護装置。
【請求項４】
２箇所の端子収納部は貫通孔を有し、この貫通孔のどちらの開口部からも接続端子に外部端子を装着可能にされていることを特徴とする請求項１乃至３のいずれか１項に記載の電動圧縮機用保護装置。
【請求項５】
少なくともひとつの接続端子は左右対象形状とされてケースのどちらの端子収納部に収納することもできるようにされたことを特徴とする請求項１乃至４のいずれか１項に記載の電動圧縮機用保護装置。
【請求項６】
ケースの端子収納部と端子接続部の間には所定の開口幅で隔壁を切り欠いた挿通部が設けられており、
この挿通部はその一部の開口幅を変えられており、
接続端子の連通部分の幅を挿通部の任意の位置における開口幅に合わせることによって接続端子が挿通部の所望の位置で当接保持されることを特徴とする請求項１乃至５のいずれか１項に記載の電動圧縮機用保護装置。
【請求項７】
端子収納部の貫通孔は接続端子の先端部分を隔壁で覆ったものであることを特徴とする請求項１乃至６のいずれか１項に記載の電動圧縮機用保護装置。
【請求項８】
端子収納部はその端面の一部を挿通部の底部と同じ高さにまで切り欠かれていることを特徴とする請求項１乃至７のいずれか１項に記載の電動圧縮機用保護装置。
【請求項９】
金属製の密閉容器内に接点機構を有するモータプロテクタとこのモータプロテクタを保持する電気絶縁性のケースを有し、
前記ケースには接続端子が装着され、
この接続端子にモータプロテクタの端子を接続固定することによりモータプロテクタがケースに対して所定の姿勢で保持固定される電動圧縮機用保護装置において、
前記ケースはモータプロテクタ収納部を１箇所と端子接続部を２箇所、さらに端子収納部を２箇所有しており、
２箇所の端子接続部はモータプロテクタ収納部に対してそれぞれ隣接するとともに端子接続部同士は互いに隔壁によって独立し、
さらに２箇所の端子収納部は実質的に同一形状とされ、
それぞれの端子収納部は前記端子接続部の一方と隔壁を挟んで隣接するとともに端子収納部同士は互いに隔壁によって独立しており、
端子接続部及び端子収納部は各々ケースに対して実質的に左右対称に配置されており、
それぞれの隣接した端子接続部と端子収納部との間には前記接続端子が両者を跨いで装着固定され、
端子接続部でモータプロテクタの導電端子が接続端子と接続固定され、
端子収納部はそれぞれ少なくとも２種類の接続端子形状に対応していることを特徴とする電動圧縮機用保護装置。
【発明の詳細な説明】
【技術分野】
【０００１】
本発明は主に容器の内部に冷媒が循環する密閉型や半密閉型の電動圧縮機の電動機保護に使用される保護装置の構造に関するものである。
【背景技術】
【０００２】
従来、この種の電動圧縮機に使用される保護装置としては冷媒の流れる圧縮機の密閉容器内に配置されるものがある。（例えば、特許文献１参照）この保護装置について図１６及び図１７を参照しながら説明する。この保護装置１０１はモータープロテクタ１０２（以下、プロテクタと称する）と、このプロテクタを保持する電機絶縁性のケース１０３とからなる。
【０００３】
このプロテクタ１０２は金属製容器内部に熱応動接点機構を有するもの（例えば、特許文献２参照）であり、その金属製の密閉容器１０２Ａの内部には周囲の熱や内部の発熱に応答してバイメタルなどの熱応動素子で接点を開閉する接点機構を収納している。密閉容器１０２Ａには前記接点機構と電気的に接続された導電端子ピン１０２Ｂ、１０２Ｃがそれぞれ電気的に絶縁された状態で気密に貫通固定されている。
【０００４】
ケース１０３には接続端子１０４と１０５が固定されており、この例の接続端子においては接続端子１０４はケース１０３に弾性的に保持されており、接続端子１０５はインサート成形によってケースの壁面に固定されている。これらケース１０３に固定されたそれぞれの接続端子にプロテクタ１０２の導電端子ピン１０２Ｂ及び１０２Ｃが溶接によって接続固定されることにより、プロテクタ１０２はケース１０３に対して固定されている。プロテクタ１０２はケース１０３に所定の姿勢で配置されることにより金属製の密閉容器の一側面をケースで覆われるとともに、他の面は周囲に対して開放される。そのため周囲雰囲気との熱交換を良好に行うことができる。
【０００５】
この保護装置１０１は密閉型電動圧縮機の密閉ハウジングに設けられた密閉端子１１０の導電ピン１１１の一本に固定される。この密閉端子の導電ピン１１１にはタブ端子１１２が溶接固定されており、保護装置の接続端子１０４をこのタブ端子と導電ピンに刺し込むことによって、保護装置１０１は密閉端子１１０に対して固定される。こうして電動圧縮機の密閉容器内に固定された保護装置１０１は、プロテクタ１０２の一方の導電端子ピン１０２Ｂが密閉端子１１０の導電ピン１１１を介して密閉容器外部の電源と接続されるとともに、他方の導電端子ピン１０２Ｃには電動機巻線と接続されるリード線１１３が接続端子１０５を介して接続される。この実施例では図１７に示す様にリード線１１３先端のリセプタクル端子１１４が接続端子１０５に挿入接続されている。
【０００６】
このように密閉型電動圧縮機に取付けられた電動圧縮機保護装置１０１は、プロテクタ１０２の金属容器１０２Ａが直接冷媒の流れの中に配置されているので冷媒との熱交換が速やかに行われる。電動圧縮機の運転中には、その運転電流がプロテクタ内の電路を流れて内部部品が発熱しているが、通常時にはその発熱量と冷媒によって奪われる熱量とがほぼ平衡状態を保つので熱応動素子は接点機構の動作温度には達しない。何らかの異常によって冷媒温度の上昇や冷媒の減少による放熱の低下が起きたり、プロテクタに過電流が流れたりして熱応動素子がその動作温度を超えると、プロテクタはその接点機構を開放することにより通電を遮断して電動圧縮機の過熱による破壊や焼損を防止する。
【０００７】
【特許文献１】特許第２７６９６００号公報
【特許文献２】特許第２５１９５３０号公報
【発明の開示】
【発明が解決しようとする課題】
【０００８】
従来の電動圧縮機保護装置１０１においてはケース１０３に対して接続端子１０４と１０５が予め固定されており、それぞれの接続端子にプロテクタ１０２の導電端子ピン１０２Ｂ及び１０２Ｃが溶接されることによって、プロテクタ１０２はケース１０３に対して保持固定されている。
【０００９】
しかしこの場合、接続端子１０４と１０５の形状が違い、さらに一方の接続端子１０５はケース１０３に対して予めインサート成形されていることから、例えば左右の端子を入れ替えて使用したい場合や、端子の形状や組合せを変えたい場合などには端子の形状の変更はもちろん、それに合わせてケース１０３を新たに作る必要があった。そのためケースの種類は端子の種類や組合せの分だけ増えてしまい汎用性に欠けると言う問題がある。
【００１０】
本発明はこのような従来技術の問題を解決するためになされたものであり、その目的は前記特許文献１に記載の電動圧縮機保護装置の性能を生かしながら、さらに各種の取付姿勢への対応が容易な構造の電動圧縮機用保護装置を提供することにある。
【課題を解決するための手段】
【００１１】
上記の目的を達成するための請求項１に記載の発明は、金属製の密閉容器内に接点機構を有するモータプロテクタとこのモータプロテクタを保持する電気絶縁性のケースを有し、前記ケースには接続端子が装着され、この接続端子にモータプロテクタの端子を接続固定することによりモータプロテクタがケースに対して所定の姿勢で保持固定される電動圧縮機用保護装置において、前記ケースはモータプロテクタ収納部と端子接続部、さらに２箇所の端子収納部を有しており、端子接続部はモータプロテクタ収納部に対して隣接し、さらに端子収納部は前記端子接続部と隔壁を挟んで隣接しており、前記接続端子は端子接続部と端子収納部との間を跨いで装着固定されており、端子収納部には接続端子の先端部が収納され、端子接続部でモータプロテクタの導電端子が接続端子と接続固定され、前記２箇所の端子収納部は少なくとも互いに収納される接続端子先端を入れ替え可能にされていることを特徴とする電動圧縮機用保護装置である。
【００１２】
また請求項２の発明は、２箇所の端子収納部は実質的に同一形状であることを特徴とする電動圧縮機用保護装置である。
【００１３】
また請求項３の発明は、２箇所の端子収納部がケースに対して実質的に左右対称に配置されていることを特徴とする電動圧縮機用保護装置である。
【００１４】
また請求項４の発明は、２箇所の端子収納部が貫通孔を有し、この貫通孔のどちらの開口部からも接続端子に外部端子を装着可能にされている電動圧縮機用保護装置である。
【００１５】
また請求項５の発明は、少なくともひとつの接続端子が左右対象形状とされてケースのどちらの端子収納部に収納することもできるようにされた電動圧縮機用保護装置である。
【００１６】
また請求項６の発明は、ケースの端子収納部と端子接続部の間に所定の開口幅で隔壁を切り欠いた挿通部が設けられており、この挿通部はその一部の開口幅を変えられており、接続端子の連通部分の幅を挿通部の任意の位置における開口幅に合わせることによって接続端子が挿通部の所望の位置で当接保持されることを特徴とする電動圧縮機用保護装置である。
【００１７】
また請求項７の発明は、端子収納部の貫通孔が接続端子の先端部分を隔壁で覆ったものであることを特徴とする電動圧縮機用保護装置である。
【００１８】
また請求項８の発明は、端子収納部がその端面の一部を挿通部の底部と同じ高さにまで切り欠かれていることを特徴とする電動圧縮機用保護装置である。
【００１９】
また請求項９の発明は、ケースにモータプロテクタ収納部を１箇所と端子接続部を２箇所、さらに端子収納部を２箇所有しており、２箇所の端子接続部はモータプロテクタ収納部に対してそれぞれ隣接するとともに端子接続部同士は互いに隔壁によって独立し、さらに２箇所の端子収納部は実質的に同一形状とされ、それぞれの端子収納部は前記端子接続部の一方と隔壁を挟んで隣接するとともに端子収納部同士は互いに隔壁によって独立しており、端子接続部及び端子収納部は各々ケースに対して実質的に左右対称に配置されており、それぞれの隣接した端子接続部と端子収納部との間には前記接続端子が両者を接続するように配置固定され、端子接続部でモータプロテクタの導電端子が接続端子と接続固定され、端子収納部は少なくとも２種類の接続端子形状に対応していることを特徴とする電動圧縮機用保護装置である。
【発明の効果】
【００２０】
請求項１の発明によれば、２箇所の端子収納部は少なくとも互いに収納される接続端子先端形状を入れ替え可能にしたことによって、端子の入れ替えを行う場合にもケースはそのまま使用することができる。また接続端子をケースに一体整形するのではなく後から装着固定するようにしたことで、ケースの汎用性が向上し、製造がより容易になる。
【００２１】
請求項２の発明によれば、端子収納部が実質的に同一形状なので端子先端形状の入れ替えを行ってもそれぞれの接続端子に対する装着条件自体は変わらず取扱いが容易になる。
【００２２】
請求項３の発明によれば、端子収納部をケースに対して実質的に左右対称に配置することで、接続端子の形状を両側の端子収納部に対応させることがより容易になる。
【００２３】
請求項４の発明によれば、端子収納部に貫通孔を設けてどちらの開口部からも接続端子に外部端子を装着可能にしたことで、保護装置の取付姿勢に関する自由度が向上する。
【００２４】
請求項５の発明によれば、少なくともひとつの接続端子を左右対象形状としてケースのどちらの端子収納部にも収納できるようにしたことで、左右の接続端子を入れ替える場合にも新たな形状の接続端子を用意する必要がなくなる。
【００２５】
請求項６の発明によれば、ケースの端子収納部と端子接続部の間の挿通部を一部の開口幅を変えながら切り欠き、接続端子の幅を挿通部の任意の部分の開口幅に合わせることによって、接続端子は挿通部の所望の位置で当接保持される。
【００２６】
請求項７の発明によれば、接続端子の先端部分を隔壁で覆うことにより、取扱いにおける外力の影響を抑えることができる。
【００２７】
請求項８の発明によれば、端子収納部はその端面である隔壁の一部を挿通部の底部と同じ高さにまで切り欠かいたことにより、端子を横方向に延びだすことが容易になる。
【００２８】
請求項９の発明によれば、端子収納部はそれぞれ少なくとも２種類の接続端子形状に対応していることにより、ケースの形状を変えなくても対応する接続端子を用意することで保護装置の取付方法の自由度を増すことができる。
【発明を実施するための最良の形態】
【００２９】
電動圧縮機保護装置のケースの端子接続部及び端子収納部を実質的に左右対称に配置するとともに端子収納部は少なくとも２種類の端子形状に対応させ端子を互いに入れ替え可能にする。ケースに装着される接続端子はケースにあらかじめ一体整形するのではなく後から装着固定する。そのためひとつのケースで複数種類の接続端子の選択使用が可能になり、端子位置の入れ替えなどに対しても対応が容易になる。
【実施例１】
【００３０】
以下、図１乃至図５を参照しながら本発明の電動圧縮機保護装置について説明する。図１は本発明の電動圧縮機保護装置１の平面図であり、図２はその正面図である。さらにこの電動圧縮機保護装置１に使用されるケースに接続端子を装着した状態を図３の斜視図と図４の正面図に示す。また図５はこのケースの平面図である。この電動圧縮機保護装置１は、モータプロテクタ２（以下、単にプロテクタと称する）とこれを保持するケース３とを有している。このプロテクタ２は金属製の耐圧密閉容器２Ａを持ち、この密閉容器内部にバイメタルなどの熱応動素子を利用した接点機構を有している。プロテクタの密閉容器２Ａには、これを貫通して導電端子ピン２Ｂがガラスなどの電気絶縁性材料で気密に絶縁固定されている。またケース３はエンジニアリングプラスチック等の電気絶縁材料で形成されており、接続端子であるリセプタクル端子４とタブ端子５が配置されている。リセプタクル端子４とタブ端子５はそれぞれ一方に所定の端子との装着部４Ａまたは５Ａを有し、他方には前記導電端子ピン２Ｂとの接続用のリブが形成された溶接部４Ｂまたは５Ｂを有している。
【００３１】
ケース３は左右対称に形成されており、図１の平面図において図示手前側にあたる上面にはプロテクタ２が配置されるプロテクタ収納部３Ａと、この収納部に隣接して端子接続部３Ｂと、さらにこれらの端子接続部に隣接した端子収納部３Ｃが設けられている。端子接続部３Ｂはそれぞれの端子の配置位置を隔壁３Ｌによって２ヶ所に分離独立されており、さらにそれぞれの端子接続部３Ｂに隣接した端子収納部３Ｃ同士もこれを囲む隔壁である周縁部３Ｄによって互いに独立している。この２つの端子収納部３Ｃは左右対称に配置された同一形状の貫通孔とされており、両者は周縁部３Ｄによって収納される端子間の電気絶縁距離が充分に採れるようにされている。
【００３２】
この端子収納部は少なくとも２種類の端子形状に対応しており、この実施例においてはリセプタクルを収納してタブを挿入するものにも、タブを収納してリセプタクルを挿入するものにも対応しており、相互に入れ替えて使用できるようにされている。端子接続部３Ｂと端子収納部３Ｃとの間には隔壁である周縁部３Ｄ部分を所定の開口幅で切り欠いた挿通部３Ｅが設けられており、それぞれの挿通部３Ｅの両壁面上部にはその開口幅を広げることによって段差３Ｆが設けられている。
【００３３】
リセプタクル端子４やタブ端子５は、それぞれこの挿通部３Ｅをまたいで配置され、それぞれの装着部４Ａまたは５Ａを端子収納部３Ｃに収納している。本実施例においてリセプタクル端子４の形状は、装着部４Ａをケース３の下方に向けて配置するために装着部４Ａと溶接部４Ｂとの間に位置する連通部４Ｃを一旦上方向に立ち上げてから装着部４Ａを下方向に向かせた形状としており、装着部４Ａを端子収納部３Ｃに差込むようにしてケースに取りつけられる。ここでリセプタクル端子４の連通部４Ｃの幅は挿通部３Ｅの下部の開口幅よりも広く、段差３Ｆ上の開口幅に合わせられている。こうしたことによりリセプタクル端子４の装着時に連通部４Ｃが挿通部の段差３Ｆに当接して挿入量を決められる。またリセプタクル端子４はその装着部４Ａ側と溶接部４Ｂ側とで挿通部３Ｅを両側から弾性的に挟むようにして装着されており、装着部４Ａが端子収納部３Ｃに設けられた返り止め３Ｇを弾性的に乗り越え、端面が係止されることによって脱落しないように保持固定されている。なお、本実施例では返り止め３Ｇを端子収納部３Ｃ側に設けた例を示したが、端子接続部２３Ｂ側に設けてもよいことは言うまでもない。
【００３４】
また他方の端子収納部３Ｃに配置されるタブ端子５は、端子収納部から装着部５Ａを上方に向けて配置される。タブ端子の連通部５Ｃの幅はケースの挿通部３Ｅの下部の開口幅に合わせ且つ、連通部５Ｃを溶接部５Ｂと同じ高さとされている。そのためタブ端子５を端子収納部３Ｃに配置した時に連通部５Ｃは段差３Ｆ上に留まること無く挿通部３Ｅの下端まで挿入されるので、タブ端子部分の先端を上方向に向けて配置した場合にもその先端高さを抑えることができ、タブを覆う周縁部３Ｄの高さを抑える事ができる。また中間部を何度も曲げる必要がないので端子の奥行きも抑えられ、端子収納部３Ｃを特に広げずに済む。またタブ端子は連通部５Ｃの側面が挿通部３Ｅに当たることで左右への動きを規制されるとともに、連通部５Ｃの前後の幅を太くすることで挿通部３Ｅの前後に当たるようにして前後への動きを規制している。こうしてタブ端子５は図１の手前側方向を除く５方向に対して拘束される。また手前側への力に対してはプロテクタとともに保持されるがこの点については後述する。
【００３５】
ケース３のプロテクタ収納部３Ａにはその側面にプロテクタ２の容器外周形状に沿ってせりあがる側壁３Ｈが設けられており、さらに両側からプロテクタの容器を抱え込むような形でせり出した保持部３Ｊが設けられている。側壁３Ｈの内側にはプロテクタの位置決め用の当接部３Ｍが設けられている。このプロテクタ収納部３Ａに図１における図示下方からプロテクタ２を差込むように装着することによって、プロテクタはケースに対して所定の姿勢とされ、プロテクタの密閉容器２Ａを隔壁３Ｌの端面、及び当接部３Ｍに当接することで位置決めされる。この状態でプロテクタの２本の導電端子ピン２Ｂは、それぞれリセプタクル端子とタブ端子の溶接部４Ｂまたは５Ｂ上に配置される。
【００３６】
ケース３の端子接続部３Ｂには各接続端子の溶接部４Ｂ、５Ｂと対向する位置に溶接作業用の貫通孔３Ｋが設けられている。導電端子ピン２Ｂと各端子の溶接部との溶接作業時には、導電端子ピン側から一方の溶接電極を当てると同時にこの貫通孔３Ｋを通して各端子の溶接部に他方の溶接電極を当てることによって溶接作業を可能にする。ケースに固定されている溶接部４Ｂ、５Ｂに対してこのようにプロテクタ２の導電端子ピン２Ｂを溶接することによって、プロテクタ２はケース３に対して保持固定される。近接する溶接部４Ｂ−５Ｂ間は前述したように隔壁３Ｌによって分離されるとともに充分な電気絶縁距離とされている。
【００３７】
ケース３の一方の端子収納部３Ｃに収納されたリセプタクル端子４には、接続部４Ａに電動圧縮機の密閉容器に気密に固定された密閉端子のピンが挿入接続される。こうしてリセプタクル端子４は密閉端子に対して電気的に接続固定されるとともに、電動圧縮機保護装置１が密閉端子上に保持固定される。一方、タブ端子５はその接続部５Ａをもう一方の端子収納部３Ｃに収納されており、電動機の巻線またはこの巻線に接続されたリード線が端子を介してこの接続部５Ａに接続される。
【００３８】
リセプタクル端子４とタブ端子５はそれぞれの接続部４Ａ及び５Ａをケース３の端子収納部３Ｃに収納することによって、それぞれの端子の先端部分である装着部は隔壁となる周縁部３Ｄに囲まれる。そのため製造時や取扱い時における外部応力はケースによって受けとめられ、接続端子は変形や破壊から確実に保護される。またタブ端子５は図１の手前方向については保持されていないが、ケースに保持部３Ｊを設けたことによってプロテクタ容器自体が保持されるので、前述したように連通部５Ｃにおける拘束構造と合わることで脱落することはない。なお本実施例においてはリセプタクル端子４とタブ端子５の突出量に合わせて両者を囲むケース３の周縁部３Ｄの上下方向に対する厚さをプロテクタ収納部３Ａなどよりも厚くしているが、例えばタブ端子やリセプタクル端子の突出量を減らすことによって周縁部３Ｄの厚さも減らすことができることは言うまでもない。
【００３９】
本発明によれば、ケース３に対してリセプタクル端子４とタブ端子５を配置する際に、段差３Ｆを設けられた挿通部３Ｅを通して配置することによって端子それぞれの幅に応じて別の形態で保持することができる。また、ケースを左右対称にして挿通部及び端子収納部の形状を同じにし、さらに端子収納部はタブ端子とリセプタクル端子のどちらにも対応できるようにしたことで端子の組合せを変える場合には左右に対応した端子だけを用意すればよく、ケースそのものの種類を増やす必要が無くなる。なお、この実施例では端子接続部３Ｂ及び端子収納部３Ｃをそれぞれ隔壁３Ｌ及び周縁部３Ｄによって接続端子毎に独立させたているが、接続端子間に充分な電気絶縁距離が得られるのであればこれらの隔壁は必ずしも必要とされるものではなく、その場合は例えば端子収納部を一体化することもできる。
【実施例２】
【００４０】
次に本発明の他の実施例について図６〜１０を参照しながら説明する。図６は本発明の電動圧縮機用保護装置２１の平面図であり、図７はそのケースの平面図、図８は図７のケースに端子を取付けた状態を示す斜視図である。また図９はプロテクタの取付状態を示す図６のＡ−Ａ断面図及びＢ−Ｂ断面図、図１０は保護装置を対象機器に接続した状態を説明するための平面図である。本実施例のケース２３は前述の例と同様にエンジニアリングプラスチック等の電気絶縁材料で形成されており、接続端子であるリセプタクル端子２４とタブ端子２５が配意されている。リセプタクル端子２４とタブ端子２５はそれぞれ一方に所定の端子との装着部２４Ａまたは２５Ａを有し、他方にはプロテクタ２の導電端子ピン２Ｂとの接続用のリブが形成された溶接部２４Ｂまたは２５Ｂを有している。本実施例ではこの溶接部２４Ｂ、２５Ｂをそれぞれの端子の中心線に対して対称に配置することで、それぞれの端子が左右対称な形状とされている。
【００４１】
ケース２３は左右対称に形成されており、平面図において手前側にプロテクタ２が配置されるプロテクタ収納部２３Ａと、この収納部に隣接して２ヶ所の端子接続部２３Ｂと、さらにこれらの端子接続部に隣接した端子収納部２３Ｃが設けられている。端子接続部２３Ｂは隔壁２３Ｌによって互いに独立しており、それぞれの端子接続部２３Ｂに隣接した端子収納部２３Ｃ同士もこれを囲む隔壁である周縁部２３Ｄによって互いに独立している。この２つの端子収納部２３Ｃはケース２３の中心に対して左右対称に配置された同一形状の貫通孔とされており、両者は周縁部２３Ｄによって収納される端子間の電気絶縁距離が充分に採れるようにされている。
【００４２】
この端子収納部２３Ｃも前述の例と同様に少なくとも２種類の端子形状に対応している。この実施例においてはリセプタクルを収納してタブを挿入するものにも、タブを収納してリセプタクルを挿入するものにも対応しており、相互に入れ替えて使用できるようにされている。端子接続部２３Ｂと端子収納部２３Ｃとの間には隔壁である周縁部２３Ｄ部分を所定の開口幅で切り欠いた挿通部２３Ｅが設けられているが、本実施例においては前述の実施例１のようには深く切り欠かれることなく、端子の板厚程度の深さとされている。
【００４３】
リセプタクル端子２４やタブ端子２５は、それぞれこの挿通部２３Ｅをまたいで配置され、それぞれの装着部２４Ａまたは２５Ａを端子収納部２３Ｃに収納している。本実施例においてはリセプタクル端子２４の形状は、前述の例と同様に連通部２４Ｃを一旦上方向に立ち上げてから装着部２４Ａを下方向に向かせた形状としており、装着部２４Ａを端子収納部２３Ｃに差込むようにしてケースに取りつけられる。
【００４４】
端子収納部２３Ｃは図９に示すように上部を広く、下部を狭くされており、下部はリセプタクル収納部２３Ｆとして図６やそのＡ−Ａ断面図である図９(Ａ)に示すようにリセプタクル端子の装着部２４Ａの少なくとも先端が収納保持される形状とされている。そのためリセプタクル端子２４を対象機器のタブ端子などに装着する際にケース２３が装着部２４Ａの横方向へ動くのを規制している。リセプタクル端子２４はその装着部２４Ａ側と溶接部２４Ｂ側とでケースの挿通部２３Ｅを両側から弾性的に挟むようにして装着されており、端子収納部２３Ｃに設けられた返り止め２３Ｇに装着部２４Ａの端面がかかることによって脱落しないように保持固定されている。なお端子収納部２３Ｃ側に設けた返り止め２３Ｇは前述の例と同様に端子接続部２３Ｂ側に設けることができるが、この点は後述するタブ端子などにおいても同様であることは言うまでもない。
【００４５】
また本実施例において他方の端子収納部２３Ｃに配置されているタブ端子２５は、図６やそのＢ−Ｂ断面図である図９(Ｂ)に示すように、リセプタクル端子２４と同様に連通部２５Ｃがケースの挿通部２３Ｅをまたぐような形状に曲げられており、さらに一旦下方向に向けた装着部２５Ａの先端は上方向に曲げられている。このタブ端子２５もリセプタクル端子と同様に挿通部２３Ｅに対して弾性的に装着されており、装着部側に設けられた幅広部２５Ｄが返り止め２３Ｇに当たることで脱落が防止されている。またタブ端子２５にリセプタクル端子を装着されたときにリセプタクル端子が端子収納部２３Ｃに干渉しないように、タブ端子の装着部２５Ａは端子収納部２３Ｃの上部の広い部分に収納される。
【００４６】
ケース２３のプロテクタ収納部２３Ａの側面には前述の例と同様に側壁２３Ｈが設けられており、また収納部２３Ａ内側にはプロテクタ２の容器を側面で支えて傾きを抑える当接部２３Ｊが設けられている。さらに側壁２３Ｈの内側にはプロテクタの端面が当たる位置決め用の当接部２３Ｍが設けられている。プロテクタ収納部２３Ａと側壁２３Ｈの内側の形状はプロテクタ容器の外周部にほぼ沿った形状とされている。このプロテクタ収納部２３Ａにプロテクタ２を装着することによって、プロテクタはケースに対して所定の姿勢とされ、プロテクタの密閉容器を当接部２３Ｊと隔壁２３Ｌの端面、及び当接部２３Ｍに当接することで位置決めされる。この状態でプロテクタの２本の導電端子ピン２Ｂは、それぞれリセプタクル端子とタブ端子の溶接部２４Ｂまたは２５Ｂ上に配置される。
【００４７】
ケース２３の端子接続部２３Ｂには溶接作業用の貫通孔２３Ｋが設けられており、この貫通孔２３Ｋを通して各溶接部に溶接電極を当てることによって溶接作業を可能にする。このようにケースに固定された各端子にプロテクタ２の導電端子ピン２Ｂを溶接することによって、プロテクタ２はケース２３に対して保持固定される。
【００４８】
本実施例では図１０に示すように、ケース２３の一方の端子収納部２３Ｃに収納されたリセプタクル端子２４の接続部２４Ａには、電動圧縮機の密閉容器に気密に固定された密閉端子のピン３１に固定されたタブ端子３２が図の向こう側から手前方向に向けて挿入されて接続保持される。こうしてリセプタクル端子２４は密閉端子に対して電気的に接続固定されるとともに、電動圧縮機保護装置２１は密閉端子上に保持固定される。一方、もう一方の端子収納部２３Ｃに収納されたタブ端子２５の接続部２５Ａには、電動機の巻線またはこの巻線に接続されたリード線がリセプタクル端子３３を介して接続される。このリセプタクル端子３３は図示手前から挿入されており、接続部の曲げ部分または端子収納部２３Ｃの段差に当たることで挿入量が決められる。また端子収納部２３Ｃの上部は下部のリセプタクル収納部２３Ｆよりも広くされており、タブ端子２５の曲げ成型された接続部２５Ａにリセプタクル端子３３を取付けることができる。さらに端子収納部２３Ｃの内面がリセプタクル端子３３の周縁部に沿うようにすることで、端子の動きを抑えて振動などに対する保持力を高めることができる。
【００４９】
なお、本実施例においてリセプタクル端子２４とタブ端子２５はどちらも溶接部を含めてそれぞれ左右対称な形状とされており、さらにケースへの装着方法も同じにされている。そのためケース２３に対してどちらの端子収納部２３Ｃに装着することも可能である。例えば図６におけるリセプタクルとタブの位置関係を入れ替えることはもちろん、必要であれば双方に同一の端子を使用することも可能になる。この実施例によれば端子の入替えを必要とする場合であっても、ケースはもちろん端子も左右別々に用意する必要はないので、新たな部品を作成することなく仕様変更に対応することができる。
【実施例３】
【００５０】
上述した各実施例においてはタブ端子の形状は貫通孔である端子収納部に制限されるため、横方向に引出すことは難しい。そこで次に本発明の第３の実施例として端子形状の自由度を上げた例について、図１１乃至図１３を参照して説明する。図１１はこの電動圧縮機保護装置４１の平面図であり、前述の例と同様の部品には同じ記号を付して詳細な説明は省略する。また図１２はプロテクタの取付状態を示す図１１のＣ−Ｃ断面図及びＤ−Ｄ断面図、図１３はケースに端子を取付けた状態を示す斜視図である。この電動圧縮機保護装置４１は前述の例と同じプロテクタ２が使用されている。このプロテクタ２は電気絶縁材料で形成されたケース４３上に保持固定されている。ケースのプロテクタ収納部４３Ａに配置されたプロテクタ２は、その容器を保持部４３Ｊで保持されるとともに、導電端子ピン２Ｂを接続端子であるタブ端子４４やリセプタクル端子２４に溶接することでケース上に固定される。このケース４３は接続端子の左右入れ替えなどが可能な構造とされており、そのため左右対称な構造となっている。
【００５１】
ケース４３のプロテクタ収納部４３Ａとそれに隣接した端子接続部４３Ｂの形状は実施例１で示したケースとほぼ同じであり、隔壁４３Ｌで分割された２つの端子接続部４３Ｂにはそれぞれに溶接電極を挿通するための貫通孔４３Ｋが設けられている。これに対して端子収納部側の形状は前述のものと異なっており、リセプタクル端子２４の接続部を収納するために貫通孔になっている端子収納部４３Ｃの周縁部４３Ｍのうち、ケース外側部分の二辺を高さ方向に大きく削られている点で異なっている。周縁部のその他の部分は前述の例と同じような高さのまま周縁隔壁部４３Ｄとされて、隣接する端子収納部同士、あるいは端子収納部と端子接続部の間の隔壁として機能する。この隔壁部４３Ｄには接続端子であるリセプタクル端子２４やタブ端子４４を通す挿通部４３Ｅが所定の開口幅で設けられている。また挿通部４３Ｅの上部には前述の例と同様に開口幅を広げた段部４３Ｆが設けられている。本実施例における二つの端子収納部４３Ｃは隔壁などの位置関係が異なっているが、後述するタブ端子の引き出し方向の関係で左右対象に配置されているだけで実質的に同一形状とされている。
【００５２】
端子収納部４３Ｃは貫通孔とされており、リセプタクル端子２４は図１２(Ｂ)に示すように端子収納部に装着部２４Ａを挿入されている。またリセプタクル端子は連通部２４Ｃが挿通部の段差４３Ｆに当接することによって挿入量が決められる。また装着部２４Ａ側と溶接部２４Ｂ側とでケースの挿通部４３Ｅを両側から弾性的に挟むようにすると同時に、装着部２４Ａの端面が返り止め４３Ｇに当接することでケース４３に対して脱落しないように固定されている。
【００５３】
本実施例のタブ端子４４は図１２(Ａ)などに示すように装着部４４Ａから溶接部４４Ｃまでほぼ同一平面とされ、連通部４４Ｂは挿通部４３Ｅの下部の幅より狭くされることにより、挿通部４３Ｅの底部に当接する。こうしてタブ端子４４はケース４３の端子収納部４３Ｃの上表面に沿って配置される。
【００５４】
本実施例においてはこのように端子収納部４３Ｃの周縁部４３Ｍの端面をその一部が挿通部の底部と同じ高さにまで切り欠かれていることにより、タブ端子の装着部をケースに対して横方向に引き出すことができる。このタブ端子の装着部の引出し方向は図に示した方向のみに限定されるものでは無く、例えば真っ直ぐ伸ばすことで図１１における上方向へ引出すようにしてもよいし、前述の例のように端子収納部から垂直方向へ曲げたものとしてもよい。なお、タブ端子４４は挿通部４３Ｅに単に上方向から装着したものを示しているが、たとえばこの挿通部に切り欠きや突起などを設けてタブ端子をそこにかみ合わせてからプロテクタ２と溶接することで、タブ端子とプロテクタの溶接部にかかる負担を分散することができる。
【００５５】
この実施例においてリセプタクル端子２４は、前述の第２の実施例と同様に溶接部２４Ｂを左右に広げて端子全体を左右対称するとともに、溶接部２４Ｂのどちらの端でも溶接可能にされている。この構造によればリセプタクル端子２４はケース４３に対して左右どちらの端子収納部４３Ｃに配置する場合にも溶接固定が可能になるので、リセプタクル端子の位置の入れ替えが必要な時にも同一のリセプタクル端子が使用でき、部品の共通化を図ることができる。また例えばタブ端子においても横方向への曲げなどのない対称な構造とされる場合には、溶接部を同様の構造として共有化を図ることができる。
【００５６】
なお、本実施例ではタブ端子の形状の自由度を大きくするために端子収納部の周縁部の高さを二辺に亘って削ったものを例に説明したが、例えばタブ端子の引出し方向が特定方向に限られているのであればタブ端子とリセプタクル端子との互換性だけを考慮した端子接続部と端子収納部の直線上の一辺のみを削除した構造であってもよい。またタブ端子の保持方法は実施例のものに限定するものではなく、リセプタクル端子や前述の第２の実施例のようにケースの挿通部４３Ｅに弾性的に装着する構造としてもよい。
【実施例４】
【００５７】
前述の各実施例では端子収納部をケースに対して実質的に左右対象に配置したものを例に説明したが、それぞれの端子先端形状の入れ替えに対応可能であれば例えば図１４に示す電動圧縮機保護装置６１のようにケース６３の端子収納部６３Ａ及び６３Ｂの位置関係をずらしてもよい。この実施例においては一方の接続端子は前述の実施例１と同様のリセプタクル端子４とし、他方の接続端子６５は先端形状をタブ端子としているが、互いの先端形状を入れ替えることができることについては前述の例と同様である。このリセプタクル端子４は前述の実施例と同様に連接部４Ｃでケースの一方の挿通部６３Ｃを越えるように弾性的に装着固定されている。またタブ端子６５Ａの連接部６５Ａは溶接部６５Ｂと同一平面であり、他方の挿通部６３Ｄの底部に当接する。その他の点については端子収納部の位置関係が違うことと接続端子の連接部の長さが違うこと以外は同様であるので詳細な説明は省略する。
【実施例５】
【００５８】
さらに前述の各実施例では特に板厚の薄いリセプタクル端子について外部からの応力による変形を防ぐために端子収納部を隔壁で囲み貫通孔としたものを中心に説明したが、必ずしも貫通孔にする必要はなく、例えば図１５に示す電動圧縮機保護装置７１のように接続端子の先端を隔壁で挟み込むように保持するものであってもよい。この電動圧縮機保護装置７１のケース７３は端子収納部７３Ａが隔壁で端子先端部の全周を覆う貫通孔形状ではなく、リセプタクル端子４の先端を隔壁の内面で挟み込むようにされているとともに隔壁の一面７３Ｂがタブ端子の幅に合わせて開口されることで、タブ端子７５が横方向に挿通可能にされている。本実施例によれば端子収納部を貫通孔としなくてもリセプタクル端子への外力の影響を隔壁によって受けることができるとともに、タブ端子もケースの挿通部７３Ｃと開口部７３Ｂとで保持されることにより特に横方向の力に対して強固に保持される。
【００５９】
上述の各実施例においては二つの端子収納部において、それぞれに収納される端子先端形状を入れ替え可能なものについて説明したが、それぞれの端子収納部を少なくとも２種類の接続端子形状に対応させることもできる。例えば端子収納部のうち一方だけをタブ端子を横に引き出す構造としたい場合には、一方の端子収納部を実施例１の形状として他方を実施例３の形状とすればよい。このようにそれぞれの端子収納部が複数の端子先端形状に対応することで、ケースの形状を変えなくても対応する接続端子を用意することで保護装置の取付方法の自由度を増すことができる。
【産業上の利用可能性】
【００６０】
以上述べたように、本発明の電動圧縮機用保護装置によれば、ケース上の２箇所の端子収納部は少なくとも互いに収納される接続端子先端形状を入れ替え可能にしたことによって、端子の入れ替えを行う場合にもケースはそのまま使用することができる。また接続端子をケースに一体整形するのではなく後から装着固定するようにしたことで、ケースの汎用性が向上し、製造がより容易になる。
【００６１】
またこの端子収納部を同一形状としたり、左右対象に配置することで接続端子の形状を両側の端子収納部に対応させることがより容易になる。さらにそれぞれの接続端子を左右対称な形状とすることで、接続端子も含めて部品のバリエーションを最小限にすることが可能になる。
【００６２】
端子収納部に貫通孔を設けてどちらの開口部からも接続端子に外部端子を装着可能にしたことで、保護装置の取付姿勢に関する自由度が向上し、より多くの保護対象機器への使用が可能になる。
【００６３】
またケース上の挿通部の開口幅を部分的に変え、この挿通部を通す接続端子の幅を前記開口幅の所定位置に合わせることにより、接続端子のケース上での当接位置と姿勢を決めることができる。またケースに設けられた端子収納部の端面の一部を挿通部の底部と同じ高さにまで切り欠くことで、接続端子の形状の自由度を上げてより多様な装着方法に対応することができる。
【００６４】
またそれぞれの端子収納部を少なくとも２種類の端子形状に対応させることにより、接続端子の組合せを変えることで１種類のケースを複数の取付方法に対応させることができる。そのため取付方法ごとにケースの種類を増やす必要がなくなるので、部品の汎用性が広がり製造コストを低減させることができる。
【図面の簡単な説明】
【００６５】
【図１】本発明の電動圧縮機用保護装置の第１実施例を示す平面図
【図２】図１の電動圧縮機用保護装置の正面図
【図３】図１の電動圧縮機保護装置に使用されるケースに接続端子を装着した状態を示す斜視図。
【図４】図１の電動圧縮機保護装置に使用されるケースに接続端子を装着した状態を示す正面図。
【図５】図１の電動圧縮機保護装置に使用されるケースの平面図。
【図６】本発明の電動圧縮機用保護装置の第２実施例を示す平面図。
【図７】図６の電動圧縮機保護装置に使用されるケースの平面図。
【図８】図６の電動圧縮機保護装置に使用されるケースに接続端子を装着した状態を示す斜視図。
【図９】図６の電動圧縮機用保護装置のＡ−Ａ断面図及びＢ−Ｂ断面図。
【図１０】図６の電動圧縮機用保護装置を対象機器に接続した状態を示す平面図。
【図１１】本発明の電動圧縮機用保護装置の第３実施例を示す平面図。
【図１２】図１１の電動圧縮機用保護装置のＣ−Ｃ断面図及びＤ−Ｄ断面図。
【図１３】図１１の電動圧縮機保護装置に使用されるケースに接続端子を装着した状態を示す斜視図。
【図１４】本発明の電動圧縮機用保護装置の第４実施例を示す平面図。
【図１５】本発明の電動圧縮機用保護装置の第５実施例を示す平面図。
【図１６】従来の電動圧縮機保護装置の取付状態を示す平面図。
【図１７】図１６の電動圧縮機保護装置の取付状態を示す側面図。
【符号の説明】
【００６６】
１、２１、４１、６１、７１：電動圧縮機保護装置
２：モータプロテクタ
３、２３，４３、６３、７３：ケース
３Ｂ、２３Ｂ、４３Ｂ：端子接続部
３Ｃ、２３Ｃ、４３Ｃ、６３Ａ、６３Ｂ、７３Ａ：端子収納部
３Ｅ、２３Ｅ、４３Ｅ、６３Ｃ、６３Ｄ、７３Ｂ：挿通部
３Ｇ、２３Ｇ、４３Ｇ：返り止め
３Ｊ、４３Ｊ：保持部
４、２４：リセプタクル端子
４Ａ、２４Ａ：装着部
４Ｂ、２４Ｂ：溶接部
４Ｃ、２４Ｃ、４４Ｂ：連通部
５、２５、４４：タブ端子
５Ａ、２５Ａ：装着部
５Ｂ、２５Ｂ：溶接部
５Ｃ、２５Ｃ、４４Ｂ、６５Ａ：連通部
２３Ｆ：リセプタクル収納部
２３Ｊ：当接部
２５Ｄ：幅広部
【図１】
2005291154.tif 000003
【図２】
2005291154.tif 000004
【図３】
2005291154.tif 000005
【図４】
2005291154.tif 000006
【図５】
2005291154.tif 000007
【図６】
2005291154.tif 000008
【図７】
2005291154.tif 000009
【図８】
2005291154.tif 000010
【図９】
2005291154.tif 000011
【図１０】
2005291154.tif 000012
【図１１】
2005291154.tif 000013
【図１２】
2005291154.tif 000014
【図１３】
2005291154.tif 000015
【図１４】
2005291154.tif 000016
【図１５】
2005291154.tif 000017
【図１６】
2005291154.tif 000018
【図１７】
2005291154.tif 000019